(57)【要約】本発明は、望ましくはシームレスの弾性ファブリックから形成されるポーチを有する小型且つ拡張可能なウエストベルトに係る。当該ベルトは、複数の実施例において背部にプリーツを有してデザインされ、最も激しい身体的活動中でも着用者の身体の周囲にぴんと張って留まる。ポーチは、１つのより小さな物品（鍵等）又は複数のより大きな物品（携帯電話、ｍｐ３プレイヤ、及び／又は現金等）を保持する。ポーチは、空のとき、望ましくはポーチを適所に保持するベルトと略同一の幅及び厚さであり、また、ポーチの内部体積は、より大きな物品又は多数の小さな物品を保持するよう、３００−４００％まで拡張し得る。単一のポーチは、ジッパーファスナ、又はヴェルクロ等である他のファスナを有して密封され、ユーザは、迅速且つ容易に所持品にアクセスし得る。
2010517724.tif 000002
【特許請求の範囲】
【請求項１】
物品を格納する着用可能な装置であって、
長手方向軸を有する第１及び第２のセクションを有する、第１の弾性材料を有するベルトと、
前記第１及び第２のセクションの遠位端部が解放可能に共につながり得るようファスナを有する遠位端部を備え、共に取り付けられない近位端部を備える、各セクションと、
上部エッジ、下部エッジ、及び側部エッジを備える全般的に矩形の形状である第２の弾性材料を有するシームレス片から形成されるポーチと、
を有し、
該ポーチは、
（ｉ）内部体積を封入するよう前記上部エッジ及び下部エッジを接合するよう、前記第２の弾性材料片を折り畳むことと、
（ｉｉ）各ベルトセクションの前記端部の周囲に各側部エッジを集合させ、前記封入された内部体積が前記ポーチの各側部に対して密封されるよう、該集合されたセクションを前記ベルトセクションの前記近位端部に対して取り付けることと、
（ｉｉｉ）前記ポーチの前記内部体積を完全に封入するよう前記上部及び下部エッジを解放可能に共に取り付けるようファスナを与えることと、
によって形成される、
着用可能な装置。
【請求項２】
各ベルトセクションの前記端部の周囲に各側部エッジを集合させ、該集合されたセクションを前記ベルトセクションに対して取り付けることは、前記ポーチの材料において１つ又はそれより多くの長手方向プリーツを形成することを有する、
請求項１記載の着用可能な装置。
【請求項３】
前記第２の弾性材料は、前記軸方向に対して平行な方向におけるよりも前記ベルトセクションの前記長手方向軸に対して横断する方向においてより弾性である、一方向伸縮性材料である、
請求項１記載の着用可能な装置。
【請求項４】
前記ファスナは、ジッパーファスナである、
請求項１記載の着用可能な装置。
【請求項５】
前記ファスナは、ヴェルクロ封鎖具である、
請求項１記載の着用可能な装置。
【請求項６】
前記ベルトセクションの各々は、長手方向軸と、ベルトの長手方向軸に対して垂直である幅とを備え、
前記ポーチは、長手方向軸と、前記ポーチの長手方向軸に対して垂直である幅とを備え、拡張されないポーチの前記幅は、ベルトセクションの前記幅の１．５倍より小さい、
請求項１記載の着用可能な装置。
【請求項７】
前記ポーチの前記幅は、前記ベルトセクションの前記幅のわずか１．２５倍である、
請求項６記載の着用可能な装置。
【請求項８】
前記ポーチは、前記長手方向軸に対して横断する方向において少なくとも１００パーセント拡張可能である、
請求項１記載の着用可能な装置。
【請求項９】
前記ポーチの前記内部体積は、少なくとも２００パーセント拡張可能である、
請求項１記載の着用可能な装置。
【請求項１０】
前記ポーチは、長手方向軸を備え、該長手方向軸は、前記ベルトセクションの前記長手方向軸と同軸である、
請求項１記載の着用可能な装置。
【請求項１１】
前記ポーチは、ベルト材料から釣り下げられるポーチを有するユーザの周囲に延在する単一ベルト材料を備えることとは対照的に、前記ポーチの対向する側部における前記ベルの前記近位端部間において引張力を有する、
請求項１記載の着用可能な装置。
【請求項１２】
前記ポーチは、前記ベルト軸において略中心に置かれる、
請求項１記載の着用可能な装置。
【請求項１３】
前記ポーチを形成する前記第２の弾性材料は、逆反射材料である、
請求項１記載の着用可能な装置。
【請求項１４】
前記第１の弾性材料は、逆反射材料を有する、
請求項１記載の着用可能な装置。
【請求項１５】
物品を格納する着用可能な装置であって、
長手方向軸を有する第１及び第２のセクションを有する、第１の弾性材料を有するベルトと、
前記ベルトの前記第１及び第２のセクション間において延在するシームレス一個構成拡張可能材料を有して構成されるポーチと、
を有し、
該ポーチは、前記ベルトセクションの前記長手方向軸に対して平行である方向におけるよりも前記ベルトセクションの前記長手方向軸に対して横断方向においてより大きな拡張性能を備え、非対称の拡張性により、前記ポーチは、物品をしっかりと保持するよう横断方向において拡張し得る一方、前記ベルトは、着用者においてしっかりと留まり得る、
着用可能な装置。
【請求項１６】
前記拡張可能材料は、前記ベルトセクションの前記長手方向軸に対して平行である方向においてよりも前記ベルトセクションの前記長手方向軸に対して横断する方向においてより弾性である非対称の拡張可能材料である、
請求項１５記載の着用可能な装置。
【請求項１７】
前記拡張可能材料は、１つ又はそれより多くの長手方向プリーツを備える材料を有し、該プリーツは、前記ベルトセクションの前記長手方向軸に対して実質的に平行であり、また前記ポーチの前記内部体積がベルト軸に対して横断する方向において拡張するようにする、
請求項１５記載の着用可能な装置。
【請求項１８】
前記ポーチは、前記ベルトの構造の一部を形成し、前記ベルトからつり下がらない、
請求項１５記載の着用可能な装置。
【請求項１９】
前記ベルトに対して取り付けられる１つ又はそれより多くのフックを更に有し、該１つ又はそれより多くのフックは、ランナーのレース番号を取り付けるよう適切である、
請求項１５記載の着用可能な装置。
【発明の詳細な説明】
【技術分野】
【０００１】
本願は、２００８年２月１２日出願、米国本出願（非仮出願）番号第１２／０３０，０３４号（特許文献１）、２００７年２月１３日出願、米国仮出願番号第６０／９０１，８１５号（特許文献２）、及び２００７年５月２９日出願、仮出願番号第６０／９３２，２５０号（特許文献３）からの優先権を主張する。かかる文献は、本願において参照として組み込まれる。
【０００２】
本発明は、身体的活動中に１つ又はそれより多くの物品を携行するための着用可能な装備品に係る。
【背景技術】
【０００３】
市場に出ているポーチを有する既存のベルトは、大きな複数コンパートメント、複数パネル、及び多次元ポーチを提供する。ポーチは典型的に、空であるときにその幅においてベルトの実際の幅より大きい。大きなポーチは、車の鍵及び／又は携帯電話等の１個乃至数個の物品を携行することを望む個人には扱いにくいものとなる。更に、小さな物品は、固定された寸法の大きなポーチ内において跳ね回る傾向があり、着用者にとって邪魔になり得る。
【０００４】
Ｙｅｒｂｙ外による米国特許第Ｄ３３４，４７１号（特許文献４）は、複数の物品を携行するために実用的である日常使用に対するウエストポーチを示す。しかしながらこのポーチは、１つの鍵を隠す必要があるランナーとっては実用的ではない。また、ポーチが跳ね回るため、激しい活動が関与する運動に対しても実用的ではない。
【０００５】
Ａｌｖａｒｅｚ外による米国特許第５，１５０，８２４号（１９９２年９月２９日）（特許文献５）等のように市場には複数のウエストポーチタイプのデザイン（設計）があるが、米国特許第Ｄ３３４，４７１号（特許文献４）と同様に、かかるパック／ポーチ／バッグ等は、鍵又は電話又は現金のみに対する入れ物を必要とする個人、及びジョギング又は運動等の激しい活動に関与する個人にとっては、非実用的である。多様なコンパートメントに対する過剰な材料はまた、製造のコスト及び時間を増大させる。
【０００６】
Ｐａｙｎｅによる米国特許第５，０６０，８３５号（１９９１年１０月２９日）（特許文献６）は、飲料容器及び人の他の所持品をその人のウエストの周囲において便利に担持するためのベルト型パーソナル運搬装置を開示する。このベルトは、ポケットに対して取り付けられた携行空間をユーザに与えるが、ベルトの上に適合するよう設計されている。そのため、ベルトは、ユーザがジョギング等である活溌な活動をするときに跳ねてしまう。更に、水運搬装置は、使用されない場合にユーザの快適性を妨げる。
【０００７】
Ｌｉｂｅｒｔｕｃｃｉによる米国特許第５，３５３，９７５号（１９９４年１０月１１日）（特許文献７）は、具体的にポータブルステレオユニットのための運搬装置（Ｃａｒｒｉｅｒ  Ｆｏｒ  Ａ  Ｐｏｒｔａｂｌｅ  Ｓｔｅｒｅｏ  Ｕｎｉｔ）として設計される。該発明は、ＭＰ３プレイヤ及びインターネットアクセス携帯電話等である物品を保持する性能を備えるが、米国特許第５，０６０，８３５号（特許文献６）及び米国特許第Ｄ３３４，４７１号（特許文献４）と同様に、鍵又は電話又は現金のみに対する入れ物を必要とする個人、及びジョギング又は運動等の激しい活動に関与する個人にとっては、非実用的である。
【０００８】
Ｋｅｎｎｅｄｙによる米国特許第５，６４５，２０５号（１９９７年７月８日）（特許文献８）は、ポーチを示し、該ポーチは、筐体、再密封可能な内側防水加工ポーチ、及びユーザのウエストの周囲において締められる（ｆａｓｔｅｎｅｄ）べき着脱可能なストラップを有して構成される。ユーザにとって、ベルトが身体にぴったり合うように留まる必要がない水泳のときにこれが有用となり得るが、水中からでた激しい活動の間は、このベルトは実用的ではない。このポーチは、身体に対してぴんと張って留まる（ｒｅｍａｉｎ  ｔａｕｔ）よう設計されておらず、水から出たジョギング又は運動等である激しい活動に耐えられない。
【０００９】
Ａｎｇｕｓ外による米国特許第６，６９８，６３６号（２００４年３月２日）（特許文献９）は、ウエストポーチである。これは、複数ポケットベルトの一例である。このポーチは、ユーザの身体において拡張する伸縮素材を有して作られるが、複数ポケットベルトはまた、厚いバンドと大きなバックルを備える。より厚いベルトは、発汗を促進し、衣服を最小限に抑えることを望むランナー又は運動愛好者には所望されない。
【００１０】
市場に出ている他のウエストパック／ポーチ複数コンパートメントスタイルは、ジョギング又は運動等の激しい活動をしている最中に単一の物品にアクセスすることを困難にし得る。特にはマラソン走者であるランナーは昨今、走っている最中にＧｕ（登録商標）等であるエネルギー製品を消費する。複数コンパートメントベルトポーチは、物品に対する迅速なアクセスを可能にせず、ランニング等である活動中に単一の物品を探すとき、ユーザを混乱させる。
【先行技術文献】
【特許文献】
【００１１】
【特許文献１】米国本出願番号第１２／０３０，０３４号
【特許文献２】米国仮出願番号第６０／９０１，８１５号
【特許文献３】仮出願番号第６０／９３２，２５０号
【特許文献４】米国特許第Ｄ３３４，４７１号
【特許文献５】米国特許第５，１５０，８２４号
【特許文献６】米国特許第５，０６０，８３５号
【特許文献７】米国特許第５，３５３，９７５号
【特許文献８】米国特許第５，６４５，２０５号
【特許文献９】米国特許第６，６９８，６３６号
【発明の概要】
【発明が解決しようとする課題】
【００１２】
本発明の実施例は、格納される物品のいずれか及び全てにアクセスするよう望ましくは単一の開口を有する拡張可能なポケットデザインを備えるベルトを与えることによって、物品に対するアクセスに関する問題を解決する。
【課題を解決するための手段】
【００１３】
前述において、以下の本発明の詳細の説明がよりよく理解され得るよう、本発明の実施例の特性及び技術的利点を広く概説している。本発明の更なる特性及び利点は、以下において説明される。当業者は、同等の構造が添付の請求項に記載される本発明の趣旨及び範囲を逸脱しない、ことを理解するべきである。
【００１４】
本発明及びその利点のより完全な理解に対して、これより添付の図面と併せて以下の説明が参照される。
【図面の簡単な説明】
【００１５】
【図１】ベルトバックルが共に取り付けられたポーチの正面を示す、本発明の一実施例の前面図である。
【図２】図１中の実施例の背面図である。
【図３】ジッパーファスナが部分的に開放しており、ＭＰ３プレイヤがポーチに入っている図１中のウエストポーチを図示する。
【図４】本発明に従った空のプリーツ付きポーチの背面図である。
【図５】プリーツ付きのポーチ材料の重なりを示す図４中のポーチの断面図である。
【図６】比較的小さな物品を含有する本発明に従ったプリーツ付きポーチの背面図である。
【図７】ポーチにおける物品によって分けられたプリーツを示す図６中のポーチの断面図である。
【図８】本発明に従った完全にプリーツを付けられたポーチの背面図である。
【図９】ポーチにおける複数の物品によって伸張されたポーチ材料及び完全に展開されたプリーツを示す図８中のポーチの断面図である。
【図１０】共に取り付けられたベルトバックル、及びランナーのレース番号を取り付けるよう使用されるベルトの周囲におけるスナップフックを有する、ポーチの前面を示す、本発明に従った一実施例の前面図である。
【図１１】本発明に従った空のポーチの前面図である。
【図１２】本発明に従った満杯にされたポーチの前面図である。
【図１３】本発明に従った空のポーチの上部を下にした図である。
【図１４】本発明に従った空のポーチの下部を上にした図である。
【発明を実施するための形態】
【００１６】
本発明の望ましい実施例は、最も激しい活動中でも着用者の身体の周囲にぴんと張って留まる、小型であり且つ拡張可能な単一ポーチウエストベルトを与え、該ポーチは、１つの物品（鍵等）又は複数の物品（複数の鍵、携帯電話、ｍｐ３プレイヤ、及び／又は現金等）を保持する。ポーチは、空のとき、望ましくはポーチを適所に保持するベルトと略同一の幅及び厚さである。本願に記載される新規性のある構造及び設計により、ポーチの内部体積は、より大きな物品又は多数の小さな物品を保持するよう３００−４００％まで拡張し得る。
【００１７】
本発明の望ましい方法及び装置は、多くの新規性のある態様を備え、また、本発明が異なる目的に対して異なる実施例又は装置において実現され得るため、全ての態様が全ての実施例において存在し得る必要はない。更には、記載される実施例の態様の多くは、別個に特許性を有し得る。
【００１８】
本発明の望ましい実施例において、ポーチは、可撓性／弾性ベルトによって適所に保持されるか、あるいは、メインウエストストラップは、典型的にはユーザのウエストの周囲であるユーザの周囲にぴったりと適合する（ｆｉｔｓ  ｓｎｕｇｇｌｙ）。ポーチは望ましくは、ベルトの構造の一部を形成する。即ち当該ポーチは、ベルト材料からつり下がるポーチを有してユーザの周囲に延在する単一のベルト材料を備えることとは対照的に、ポーチの対向する側部上にあるベルトの端部間において引張力を有する。他の実施例は、例えば上腕、手首、大腿部、又は足首を含む着用者の身体の他の一部の周囲に適合するよう、適応され得る。
【００１９】
ポーチ自体は望ましくは、空である（故に伸張されていない）ときに望ましくはポーチを担持する弾性ベルトと略同一の幅である、一個構成のシームレスの弾性／拡張可能ファブリック又は他の材料において形成される。十分な寸法を有する物体がポーチに配置されるとき、ポーチのファブリックは、物品を保持するよう伸張する。伸張されるポーチによってポーチ内部における物品に与えられる横断方向張力は、物品をポーチにおいてぴったりと保持する役割を有し、物品が跳ね回ること及び身体的活動中に着用者の注意をそらすことを防ぐ。ポーチの弾性及びポーチの寸法は、ポーチ内に包含されるべき物品の寸法等である意図される使用、及び着用者の意図される活動に依存して変わり得る。複数のポーチは、ポーチを互いに対して接続することによって、あるいは複数のポーチ間においてベルトセクションを縫い付けることによって、単一のベルトにおいて使用され得る。空のときのポーチの幅は、望ましくはベルトの幅と同一であるか、あるいは僅かにそれより大きいが、多種の実施例においてポーチは、ベルトより小さいか、同一の寸法か、あるはより幅が広いことがあり得る。
【００２０】
本発明の実施例は、先行技術によるウエストポーチの問題の多くを解決する。多くの先行技術のウエストポーチは、ポーチ内における体積が大きすぎる。この結果として、ポーチは着用するにはかさばり、着用者による激しい身体的活動中に跳ねたり動いたりする。大きなポーチはまた、１つ又は２つのみの比較的小さな物品を保持／格納するには邪魔である。小さなポーチを有するウエストポーチは、これらの問題を排除するが、他の明らかな欠点を有する。即ち、かかるウエストポーチは、複数及び／又はより大きな物品を保持しないのである。弾性材料から作られるポーチも既知であるが、かかるポーチが従来通り担持ベルトからつり下がる場合、該ポーチはまた、身体的活動中に跳ね回る。ベルトへと一体にされたポーチは、身体的活動中に跳ねないが、かかるポーチは、ベルトがぴったりと適合することを防ぐため、典型的には弾性又は拡張可能ではない。
【００２１】
しかしながら、本発明の設計は、ベルトに一体にされると同時に拡張可能であるポーチを与え、更に着用者の身体の周囲におけるぴったりとした適合を与える。これは、従来技術におけるようにコンパートメントを作るよう共に縫われた複数片の材料を使用することよりも、ポーチを作るよう一個構成のファブリックを使用する新規性のある設計を有して達成される。以下に記載される非対称的弾性ファブリック及び／又はジッパーファスナ設計の使用により、ポーチは、横断方向には伸張し得るが、ベルトの長手方向軸に沿って伸張し得ない。これによってポーチは、使用中に着用者の身体に対してぴったりと留まり得、しっかりと小さな物体を保持し得、また、より大きな物体を保持するよう拡張し得る。更に、これは、経済的且つ容易に作られる設計を有して達成される。
【００２２】
本発明の多種の実施例によって与えられる複数の目的及び利点は、経済的且つ容易に作られ得る小型の拡張可能な単一ポケットポーチを有するベルトを与えること；ポーチの小型設計を内容物に従って拡張させる非対称的に拡張するファブリック及びプリーツを有する小さなポーチを有する運搬ベルト装置を与えること；１つの物品（鍵等）又は複数のより大きな物品（複数の鍵、携帯電話、ｍｐ３プレイヤ、及び／又は現金又はクレジットカード等）を保持するとき、最も激しい活動中でもぴんと張って留まる小型だが拡張可能な単一ポーチウエストベルトを与えること；個人が物品を取り出すために立ち止まり、見下ろし、「探り出し」、見つけ出し、身体的活動を妨害する必要がないように、物品の容易なアクセスを可能にする単一ポーチウエストベルトをあたえること；水に適した（ｗａｔｅｒ−ｆｒｉｅｎｄｌｙ）洗濯可能なベルトをあたえること；及び、例えばインスリンポンプ又は他の医療用装置／治療用品を含む物品を旅行時又は日常使用時にポケット又は財布において保持することに対する快適且つ安全な代替品を与えること、を有する。
【００２３】
本発明の望ましい一実施例は、図１（前面／立面図）及び図２（背面／立面図）において示される。本発明の望ましい実施例は、単一片のシームレスのポーチ材料１１を有して作られる単一ポーチ１０を有する。また図４，７及び９を参照すると、ポーチ材料１１は、望ましくは可撓性のファブリック材料であり、該材料は、力が材料に加えられないときに三次元構造を保持しない。即ち、ポーチに物品がない場合、ポーチは、平らになり、それ自体の上に潰れ、特定の形状を保持しない（しかし、材料は、ポーチが空のときには重なる形状においてファブリックを折り畳むよう、以下に記載される通りプリーツを使用してベルトに対して固定され得る）。半径方向拡張の望ましい方向はない。即ち、物品がポーチにいれられるとき、ポーチ内部は、物品を保持するよう拡張し、非選択的に（ｎｏｎ−ｐｒｅｆｅｒｅｎｔｉａｌｌｙ）全ての横断方向（即ち、ベルト軸に対して実質的に垂直の方向）において拡張する。材料は望ましくは、柔らかく、革や硬質プラスチックパックにおいて見られるような硬い角部を有さない。
【００２４】
ポーチ材料１１は望ましくは、弾性／拡張可能ファブリック又はポリエステル等である他の材料を有し、空で伸張されていないときには、ポーチを担持する弾性ベルト２０と望ましくは略同一の幅であり、実施例を僅かな物品のみを携行する個人にとって理想的なものとする。望ましい一実施例において、ベルト及び空のポーチはいずれも、約１インチの幅であるが、異なる幅が使用されてもよい。他の実施例において、ポーチは例えば、空のときにベルトより約１０−１５％幅が広い。
【００２５】
ポーチ１０は望ましくは、厚さが０．１ミリメートル乃至１．６ミリメートルである一個構成の全般的に矩形又は四角形のファブリックから作られる。薄いファブリックは、ユーザが活動の中断及び／又はジッパーファスナ１６の開放をする必要なくポーチ１０を介してＭＰ３プレイヤ又は他のパーソナル電子装置の制御を操作することができるようにする。ポーチを形成するファブリックはまた、望ましくは大変弾性があり、全体的な材料の破裂を有することなく２５０％又はそれ以上まで伸張することができる（しかし、個別の長繊維、層、又は接着剤は全体的材料の破裂を有することなく切断し得る）。例えば、適切な可撓性ファブリックは、８０％ナイロン、２０％ＬＹＣＲＡ  Ｔｒｉｃｏｔファブリックである。適切なファブリックは、例えばカリフォルニア州ロサンゼルス在、Ｂ．Ｎ．Ｂ  Ｉｎｔｅｒｎａｔｉｏｎａｌ  Ｔｅｘｔｉｌｅｓ社から入手可能である。
【００２６】
ポーチ自体は、１つのシームレス片材料から容易に構成され得る。例えば、一般的に矩形のファブリック片は、内部体積を封入するよう折り重ねられる（そのため、上方エッジは下方エッジまでもたらされる）。当業者は、異なる形状のファブリック片が同一の目的を達成するよう使用され得る、ことを認識する。側部は、ベルトセクションの近位端部（ポーチに向かってバックルから離れる）の周囲に集められ得、縫い付けられるかあるいは取り付けられ得る。以下に記載される通り、ポーチの背面におけるファブリック／材料は、プリーツを形成するよう縫い付けられる前に重なり合わせられ得る。ポーチの端部が固定されると、上方及び下方エッジは、上方及び下方エッジに沿って縫い付けられたジッパー等である適切なファスナを有して合わせられ、ポーチがしっかりと閉じられるようにする。
【００２７】
単一片のファブリックから作られる本発明の望ましいポーチの構造は、複数コンパートメント、パネル、及び次元ポーチ（ｄｉｍｅｎｓｉｏｎａｌ  ｐｏｕｃｈｅｓ）を有する従来技術のポーチより大幅に安く且つ複製（ｒｅｐｒｏｄｕｃｅ）がより容易である。複数のコンパートメント及びパネルを有する他のベルトは、製造に更なる時間、更なるファブリック、及びＶｅｌｃｒｏ（登録商標）及びジッパー等である更なる封鎖具を必要とする。
【００２８】
望ましい実施例の単一のファブリック片ポーチ構造はまた、ポーチの拡張性を高める目的を有する。従来のウエストポーチにおけるポーチは、典型的には共に縫い付けられたかあるいは取り付けられた複数の片の材料から形成される。シームは、典型的にはポーチファブリックより弾性が劣る。しっかりと保持するよう、かかるシームを作るために使用される意図は、典型的には非弾性である。結果として、ポーチ材料におけるシームは、伸張せず、ポーチ自体の弾性を制限する傾向がある。当然のことながら当業者は、たとえポーチの全体的な拡張性が影響を受け得るとしても、複数の実施例ではポーチ材料において特には長手方向におけるシームであるシームが所望され得ること、を認識する。
【００２９】
一個構成を使用することによって、本発明のポーチは、空のときにはベルトと実質的に同一の寸法であり得るが、より大きな物品を保持するよう依然として拡張し得る。本発明に従ったポーチは、望ましくは「シームレス」である。当然のことながら当業者は、例えば図１１−１２及び以下に図示及び説明される通り、ジッパーテープ１７のいずれかの側部におけるステッチ１１０によって一個構成ポーチ材料の上方及び下方エッジを接合するシームがあり得る、ことを認識する。「シームレス」という用語によって、出願人は、ポーチが側部及びポーチに対する開口においてのみシームを有する基本的に１個の連続的な材料片から形成される、ことを意図している。この種類の一個構成はまた、シームを有する従来技術の複数片ポーチより典型的により安価であり且つ製造がより容易である。複数の実施例においては、ポーチの内側においてラベルを「縫い付ける」こと又は留め付けることが所望され得る。これは、ポーチの拡張を大幅に制限することはなく、出願人が定義した「シームレス」としてポーチが説明されることを妨げるものではない。
【００３０】
複数の望ましい実施例において使用される単一ファブリックポーチデザインはまた、多種の色及びパターンにおいてポーチを提供／製造することをより容易にする。様々なポーチ材料又は異なるシーム糸の色／デザインを協調させることは必要ではない。これは、製造において低製造コストで色の多様性をより容易に取り込むことを可能にする。他のベルト及びそのポーチは、材料の色又はスタイルにおいて殆どあるいは全く多様性を有さず、黒色のみで入手可能である。ランニング及びフィットネスの人気がより高まっているため、個人は、衣服及び服に対するデザインの選択における多様性を与えられている。単一ファブリックポーチを有するベルトは、従来技術のポーチは提供しなかった比較的低製造コストにおける多様なポーチ外観（色、デザイン、ファブリックの種類等）を個人に提供することができる。
【００３１】
複数の実施例において、ポーチはまた、非対称的弾性を有する。即ちポーチは、長手方向軸に沿った方向よりもベルトの長手方向軸に対して横断する方向においてより容易に伸張することができる。ベルトの長手方向におけるより低い弾性によりポーチは、別個のベルト部分間においてベルトの引張力を有することができ、またユーザにおいてぴったりとした適合を保持することができる一方、横断方向における高められた弾性によりポーチは、長手方向軸に対して横断する方向においてより容易に拡張し得るため、ポーチは、１つ又はそれより多くの物品を保持するよう容易に拡張することができる。かかる長手方向弾性における制限を有さずに、ベルトと連続的であるポーチ（本発明の通り）は、ベルトが着用者の身体の周囲において締められる際にそれ自体が伸張される。これは結果として、ポーチが事前に伸張されるため、ポーチに対する使用可能である拡張性能を少なくする。その結果もたらされるポーチにおける増大された引張力はまた、物品を追加又は除去することをより困難にする。
【００３２】
複数の実施例において、ポーチを形成するよう使用されるファブリック又は他の材料は、非対称的に拡張可能な材料であり、ファブリック／材料が（ベルトの軸１００に沿って）長手方向において実質的に非弾性であり得るが、ベルト軸に対して半径方向又は横断方向（例えば方向２００及び３００）において実質的により弾性であるよう配置される。望ましいファブリック／材料は、例えばポリエステル又は他の同様の材料から作られ得る。「非対称的に拡張可能な材料」、「非対称的に弾性」、及び「一方向伸張」という用語は、一方向において他の方向におけるよりも弾性があるファブリック又は他の材料を指すよう使用される。言い換えれば、ファブリック又は他の材料は、第２の方向よりも第１の方向において全体的な材料の破裂を有さずに更に大きく伸張され得る（第２の方向は、第１の方向に対しておおよそ垂直である）。
【００３３】
本願で使用される「長手方向」という用語は、締められていないベルトコネクタを有して平らに並べられたベルト／ポーチに対して定義付けられる。長手方向は、中央領域、及びベルト／ポーチの両端領域の少なくとも一部（以下に記載されるベルト接続の位置）を通過する直線によって示され得る伸張の方向である。ベルトに対する横断方向とは、ベルトの長手方向軸に対して実質的に垂直である平面における方向を意味する。即ち、望ましいポーチは、ベルト軸の周囲に半径方向に拡張し得る。
【００３４】
本発明の望ましい一実施例において、ポーチは、横断方向においてのみ大幅な可撓性を可能にする一方向伸縮可能なファブリック又は材料を有して構成される。ポーチ材料１１は、ベルトの軸に沿って大幅に伸張しないが、ベルト２０の軸に対して半径方向又は横断方向により弾性である。図１を参照すると、ポーチ１０は、（矢印２００及び３００によって示される方向において伸張することによって）より幅が広く且つより深くなるよう拡張することができるが、（矢印１００によって示される長手方向において）より長くなるよう伸張しない。非対称的に伸張するファブリックは、既知であり、例えば帆船、水着、基礎下着、及びアクティブウェアを作る際に使用される。
【００３５】
ポーチの弾性はまた、ジッパー又は同様のファスナ等である伸縮不可能なシーム又はサポートをポーチの前部へと組み込むことによって、長手方向に制限され得る。図１（以下により詳細に記載される）に示される通り、ジッパーテープ１７（ジッパーの歯１８の外側の補強材料）は、ベルト２０の端部に対して取り付けられる。望ましくは、取り付けは、ポーチの内側における縫付け（図示せず）によるものである。ジッパーテープ１７が長手方向において実質的に弾性ではないため、ベルト２０の適合は、ぴったりしたものとなり、ポーチ材料１１が伸縮する際に緩まない。ステッチの仮縫い（Ｓｔｉｔｃｈ  ｔａｃｋｓ）１９ａ／１９ｂは、安全装置として作用し、ジッパー１６がジッパーの歯１８の終点及び始点に到達することを防ぎ、故に、ジッパー１６が何度も開放及び閉鎖されるときのポーチ１０の材料の摩耗及び裂傷を低減させる。
【００３６】
当業者は、伸縮不可能なファブリック又は他の材料の挿入等であるシーム又は他の種類のサポートは、ポーチの長手方向弾性の同一の制限を達成することができる、ことを認識する。複数の実施例において、ポーチファブリック自体は長手方向において弾性であり得るが、ジッパー（又は同様のサポート構造）は、ユーザのウエストの周囲におけるベルトの適合がポーチ材料の伸張の際に緩むことを防ぐ。この種類の長手方向サポートが使用される場合、スパンデックス又はスパンデックス混合物等である対称的に弾性である材料は、ポーチを形成するよう使用され得る。かかる場合、ポーチ材料は、長手方向において伸張可能であり得るが、ポーチ自体の長手方向伸張（ベルトの２つの端部に対して接続する場合）は、依然として制限される。
【００３７】
本発明の望ましい一実施例において、ポーチ１０を形成する材料１１はまた、ポーチのより大きな拡張性能を可能にするようプリーツを付けられ得る。例えば、図４，５，６及び７において示されるポーチの背部において使用されるプリーツ１２は、更なるファブリック又は他の材料がポーチに対して使用されるようにする一方、依然として空のときには小さな寸法までポーチが圧縮し得るか、あるいは潰れ得るようにする。望ましくは空のポーチは、ベルトと実質的に同一の幅である。空のときには、プリーツによって作られる材料の襞は、図５に示される通り材料が重なるようにする。しかしながら、より大きな物体がポーチに配置されるとき、材料は、より大きな物体を保持するよう（特にはポーチの中心部において）展開し得る。
【００３８】
上述された新規性のある特徴とともに、プリーツは、空のポーチが比較的小型であり且目立たないようにし、例えばベルト自体より極僅かに幅広いようにする一方、ポーチが依然としてより大きな物品を保持するよう拡張し得るようにする。ベルト軸に沿ってのより低い弾性は、ベルトが依然として着用者の身体の周囲にぴったりと適合する、ことを意味している。ベルトに対して小型であるポーチの寸法は、物品が携行されないとき、あるいは小さな物品のみが携行されるときにベルトがより快適であること、またベルトがより審美的に好ましいこと、を意味する。更には、比較的小型なポーチの寸法及び物品をしっかりと保持する引張力（弾性材料によって加えられる）は、本発明のポーチを、従来技術において既知であるポーチと比較して、身体的活動中のユーザにとって大幅に邪魔なもの及び／又は干渉するものではないようにする。
【００３９】
ポーチは、典型的にはユーザのウエストの周囲であるユーザの周囲にぴったりと適合する可撓性／弾性ベルト又はメインウエストストラップによって適所に保持される。ぴったりとした適合を維持する一方でユーザの動作を可能にするために、ベルトは、望ましくは長手方向に拡張する長手方向に弾性的な材料を有して作られ、ユーザにおいてぴったりとベルトを保持するよう張力を有して収縮する（ｃｏｎｔｒａｃｔｓ  ｉｎ  ｔｅｎｓｉｏｎ）。メインウエストストラップは、望ましくは、サスペンダストラップ、ストレッチウエストバンド等において使用される通気性のあるナイロンストレッチ材料等の伸縮性のある／柔らかい材料から作られるが、多くの他の材料が使用されてもよい（ストラップへと適切に形成／切断され得る材料は、明らかに使用され得る）。
【００４０】
図１及び２中の実施例において、雄バックル２２及び雌バックル２３は、ともに取り付けられるとき、着用者の身体の周囲においてベルト２０の右側部分及び左側部分をともに保持する。反射体を有するもの、センターリリース（中央解放）、輪郭又は非輪郭（ｃｏｎｔｏｕｒ  ｏｒ  ｎｏｎ−ｃｏｎｔｏｕｒ）、単一又は二重調整を有するもの、多種の色及び寸法等を含む多種のバックル又はファスナは、使用され得る。図示される実施例において、二重ループ調整を有する雄バックル２２は、望ましくはトリグライド（ｔｒｉ−ｇｌｉｄｅ）２４が取り付けられた後にベルト２０に対して取り付けられ、ステッチ２８で縫い付けられる。二重ループを有する雌バックル２３又は二重ループを有さない雌バックル２３は、望ましくはステッチ２６を有する雌バックル２３の近くに（近付いて）ステッチによって取り付けられる。
【００４１】
望ましくは、トリグライドスライド２４は、ぴったりときつい適合をもたらすよう、弾性ベルト２０の寸法に対する調整を可能にする。複数の実施例において、トリグライドスライダ２４は、二重の調整機能に対して弾性ベルト２０の両側上に配置され得る。
【００４２】
図１及び２中の実施例において、ベルト２０は、２つの長さの弾性材料を有し、一方は、トリグライド２４及び雄バックル２２における調整ループをくぐり（ｔｈｒｅａｄｅｄ  ｔｈｒｏｕｇｈ）、他方は雌バックル２３に対して取り付けられる。弾性ベルト２０の端部のほつれを防ぐよう、ステッチ２６及び２８は、ベルト材料を折り畳んだ後（弾性材料を８ｍｍまで折る）に作られる。二重調整機能を備えるバックルが使用される場合、ステッチ２８は、くぐらされたベルト２０の一部の両側上に作られ、ステッチ２６は、必要とされない。任意のグロメットリング１４は、ポーチ１０における電子装置に対して取り付けられるヘッドフォンがポーチ１０をくぐる一方で、ジッパー１６を完全に閉鎖し得るようにする。
【００４３】
図３は、比較的大きな物品（この場合はＭＰ３プレイヤ３０）をポーチ１０内部に有する本発明の望ましい一実施例を示す。図８−９も参照すると、ポーチ材料１１は、ベルト軸の周囲に半径方向に伸張／拡張しているが、長さ方向においては伸張されていない。結果として、ポーチ内部体積は、より大きな物体を保持するよ拡張されているが、着用者の身体の周囲におけるベルトの適合は、ぴったりとしたままである。
【００４４】
弾性ベルト２０は、適切な手段を使用してポーチ１０に対して取り付けられ得る。例えば、ベルトの制作者及び／又は製造者は、ポーチ１０を裏返し、完全にベルトの周囲においてポーチ材料を接合するステッチによってポーチ材料の各端を弾性ベルトに対して取り付けることができる。同一の縫付けはまた、ジッパー１６の端部を適所において保持し得る。上述された通り、ベルト２０の端部に対して比較的非弾性的ジッパー１６を縫い付けることはまた、ポーチの長手方向弾性を制限する役割を有する。
【００４５】
図４は、本発明の望ましい一実施例に従った空であるプリーツ付きのポーチ１０の背部（着用者の身体に向かう側）を示す。プリーツ１２は、ポーチ材料１１において形成され、ポーチ１０がより大きな拡張性を有し得るようにする一方、依然として空のときには小さな形状を保持する。ポーチ１０の内容物に依存してポーチ１０を幅において拡張させるプリーツ１２を作るよう、制作者及び／又は製造者は、ポーチの右側及び左側エッジにおいて長手方向に材料１１を縮め（ｐｉｎｃｈ  ｉｎ）、重ね、あるいは層状にし、続いてベルト２０の端部に対してプリーツ付きのファブリックを縫い付けるか、あるいは取り付ける。
【００４６】
図５は、図４中の線Ａ−Ａに沿ったポーチの断面を示す。ポーチが空のとき、ポーチの側部におけるプリーツ１２は、ポーチの中心においても（線ＡＡに沿って）、材料の襞４４を下にあるポーチ材料４６に重なるようにする。図６は、ポーチにおいて配置される比較的小さな物品を有するプリーツ付きのポーチ１０の背部（着用者の身体に向かう側）を示す。図７は、ポーチ内部に配置された比較的小さな物品を有するプリーツ付きポーチ１０の断面を示す。図６に示される通り、ポーチ材料は、ポーチにおいて配置される物体を収容するよう展開され始めるか、あるいは伸ばされ始めるが、外側の襞４４は、依然として内側襞４５の上方に折り畳まれている。図７において、なんらかのより大きな物体５０は、ポーチにおいて配置されている。この物品は、ポーチ材料上を押しており、プリーツ４４及び４５は、もはや重なっていない。図８は、ポーチにおいて配置された複数のより大きな物品を有するプリーツ付きポーチ１０の背部を示す。図９は、ポーチ１０内部に配置される物体５１及び５２を有する線Ｂ−Ｂに沿った図８中のポーチの断面を示す。図９に示される通り、ポーチ材料１１は、物体５１及び５２を収容するよう半径方向に伸張されている。
【００４７】
望ましくは、図１に示される通り、ポーチ１０の前部は、プリーツ１２を有さず、平らなママである。図２に示される通り、プリーツ１２を作るようポーチ１０の背部が層状にされ、重ねられ、あるいは「縮められる（“ｐｉｎｃｈｅｄ−ｉｎ”）」とき、より審美的に好ましい外観にするために、重なりは望ましくは、図４中に示される通りベルトの背部において発生するのみである。
【００４８】
本発明のポーチの実施例はまた、例えば防水性のポーチ材料及び防水ジッパー等である防水密閉を使用することによって、水中での使用に対しても設計され得る。かかる実施例は、個人識別又は鍵等である物品を水中で携行し、且つ水から出てもベルトを着用し続けるという環境をユーザに提供する。本発明の単一ポケットは、ユーザに自分の物品に対する容易なアクセスを与える。
【００４９】
本発明の望ましい実施例はまた、同一又は異なる寸法及び弾性の複数ポーチを有し得る。例えば、２つの別個のポーチは、同一のベルト上にあり得、ともに取り付けられるか、あるいはそれらの間にある長さのベルトを有する。ユーザは、別個のポーチにおいて個別の物品を配置することができ、身体活動中に所望される物体の容易なアクセス及び配置を可能とする。例えば、より小さなポーチは鍵を保持するよう使用され得、より大きなポーチはエネルギーバーやＭＰ３プレイヤを保持するよう使用され得る。
【００５０】
本発明のポーチの実施例はまた、高い光反射度を有する弾性材料から形成され得る。望ましくは、ポーチは、逆反射性である材料から形成され、故に車のヘッドライト等である光源において光を反射し戻す。多くの従来技術によるウエストベルトは、着用者の夜間の可視性を高めるためになんらかの種類の反射ストリップを使用するが、かかる反射性ストリップは、典型的にはポーチ／ベルト全体の寸法と比較して小さい。また、かかるストリップは、典型的には弾性ではないため、従来技術のポーチの拡張性を制限する傾向がある。しかしながら、本発明は、ここに記載される本発明の他の望ましい特徴を犠牲にすることなく可視性を高めるよう、全体的に弾性逆反射材料から作られるポーチを使用し得る。適切な逆反射伸縮ファブリックは、例えばフランス国Ｒｏｍａｎ在のＪＲＣ  Ｒｅｆｌｅｘ社から入手可能である。複数の実施例において、弾性ベルト部はまた、逆反射性であるか、あるいは逆反射材料構成要素を備える弾性材料から形成され得る。
【００５１】
複数の実施例は、レース番号を取り付けるためのボタン、フック、又は他の機構を有する。図１は、ポーチ１０の各側部に１つである２つの標準的スナップフック２６を通るベルトを示す。フックは、ポーチベルト２０から番号をつり下げるよう、レース番号８２の上方右側及び左側角部における穴８４に対して取り付けられ得る。あるいは、例えばスナップ、従来のボタン、又はＶｅｌｃｒｏ（商標）ファスナを有する他の適切なファスナは、使用され得る。各ファスナの１つの構成要素は、典型的にはポーチの各側部上に１つの構成要素を有してベルトに対して恒久的に固定され得る。続いてレース番号８２は、固定されたボタンの上方に位置付けられ得、スナップボタンの第２の接合構成要素は、ベルト上に取り付けられるスナップ上へとスナップ留めされる。
【００５２】
図１１及び１２は、空であるとき並びに満杯であるときのポーチのみの前面図であり、図１３及び１４は、図１１中の空のポーチの上面図及び下面図である。
【００５３】
本発明は、広い適用性を備え、また上述された例に記載及び図示される通り多くの利点を与え得る。実施例は、特定の用途に依存して大きく変化し、全ての実施例が全ての利点を与えるわけではなく、本発明によって達成可能である目的の全てを満たす訳ではない。添付の図面は、本発明の理解を支援するよう意図されるものであり、特記されない限り実寸大で描かれていない。
【００５４】
本願の範囲は、明細書に記載される工程、機械、製造、組成物、手段、方法、及び段階の特定の実施例に制限されるよう意図されない。本発明の開示から当業者が容易に理解する通り、本願に記載される対応する実施例と実質的に同一の機能を実行するかあるいは実質的に同一の結果を達成する、既存であるかあるいは後に開発される工程、機械、製造、組成物、手段、方法、又は段階は、本発明に従って利用され得る。したがって、添付の請求項は、かかる工程、機械、製造、組成物、手段、方法、又は段階をその範囲内に有するよう意図される。更には、特記されない限り図面は、実寸大で描かれていない。
【図１】
2010517724.tif 000003
【図２】
2010517724.tif 000004
【図３】
2010517724.tif 000005
【図４】
2010517724.tif 000006
【図５】
2010517724.tif 000007
【図６】
2010517724.tif 000008
【図７】
2010517724.tif 000009
【図８】
2010517724.tif 000010
【図９】
2010517724.tif 000011
【図１０】
2010517724.tif 000012
【図１１】
2010517724.tif 000013
【図１２】
2010517724.tif 000014
【図１３】
2010517724.tif 000015
【図１４】
2010517724.tif 000016
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
物品を格納する着用可能な装置であって、
長手方向軸を有する第１及び第２のセクションを有する、第１の弾性材料を有するベルトと、
前記第１及び第２のセクションの遠位端部が解放可能に共につながり得るようファスナを有する遠位端部を備え、また、共に取り付けられない近位端部を備える、各ベルトセクションと、
上部エッジ、下部エッジ、及び側部エッジを備え、また全般的に矩形の形状である第２の弾性材料を有するシームレス片から形成されるポーチと、
を有し、
該ポーチは、
（ｉ）内部体積を封入するよう、前記上部エッジ及び下部エッジを接合するよう前記第２の弾性材料片を折り畳むことと、
（ｉｉ）各ベルトセクションの前記端部の周囲に各側部エッジを集合させ、前記封入された内部体積が前記ポーチのいずれかの側部に対して密封されるよう、該集合されたセクションを前記ベルトセクションの前記近位端部に対して取り付けることと、
（ｉｉｉ）前記ポーチの前記内部体積を完全に封入するよう前記上部及び下部エッジを解放可能に共に取り付けるようファスナを与えることと、
によって形成される、
着用可能な装置。
【請求項２】
各ベルトセクションの前記端部の周囲に各側部エッジを集合させ、該集合されたセクションを前記ベルトセクションに対して取り付けることは、前記ポーチの材料において１つ又はそれより多くの長手方向プリーツを形成することを有する、
請求項１記載の着用可能な装置。
【請求項３】
前記第２の弾性材料は、前記軸方向に対して平行な方向におけるよりも前記ベルトセクションの前記長手方向軸に対して横断する方向においてより弾性である、一方向伸縮性材料である、
請求項１記載の着用可能な装置。
【請求項４】
前記ファスナは、ジッパーファスナである、
請求項１記載の着用可能な装置。
【請求項５】
前記ファスナは、ヴェルクロ封鎖具である、
請求項１記載の着用可能な装置。
【請求項６】
物品を格納する着用可能な装置であって、
長手方向軸を有する第１及び第２のセクションを有する、第１の弾性材料を有するベルトと、
前記ベルトの前記第１及び第２のセクション間において延在するシームレス一個構成拡張可能材料を有して構成されるポーチと、
を有し、
該ポーチは、前記ベルトセクションの前記長手方向軸に対して平行である方向におけるよりも前記ベルトセクションの前記長手方向軸に対して横断方向においてより大きな拡張性能を備え、非対称の拡張性により、前記ポーチは、物品をしっかりと保持するよう横断方向において拡張し得る一方、前記ベルトは、着用者においてしっかりと留まり得る、
着用可能な装置。
【請求項７】
前記ベルトセクションの各々は、長手方向軸と、ベルトの長手方向軸に対して垂直である幅とを備え、
前記ポーチは、長手方向軸と、前記ポーチの長手方向軸に対して垂直である幅とを備え、拡張されないポーチの前記幅は、ベルトセクションの前記幅の１．５倍より小さい、
請求項１乃至６のうちいずれか一項記載の着用可能な装置。
【請求項８】
前記ポーチの前記幅は、前記ベルトセクションの前記幅のわずか１．２５倍である、
請求項７記載の着用可能な装置。
【請求項９】
前記ポーチは、前記長手方向軸に対して横断する方向において少なくとも１００パーセント拡張可能である、
請求項１乃至８のうちいずれか一項記載の着用可能な装置。
【請求項１０】
前記ポーチの前記内部体積は、少なくとも２００パーセント拡張可能である、
請求項１乃至９のうちいずれか一項記載の着用可能な装置。
【請求項１１】
前記ポーチは、長手方向軸を備え、該長手方向軸は、前記ベルトセクションの前記長手方向軸と同軸である、
請求項１乃至１０のうちいずれか一項記載の着用可能な装置。
【請求項１２】
前記ポーチは、ベルト材料から釣り下げられるポーチを有するユーザの周囲に延在する単一ベルト材料を備えることとは対照的に、前記ポーチの対向する側部における前記ベルの前記近位端部間において引張力を有する、
請求項１乃至１１のうちいずれか一項記載の着用可能な装置。
【請求項１３】
前記ポーチは、前記ベルト軸において略中心に置かれる、
請求項１乃至１２のうちいずれか一項記載の記載の着用可能な装置。
【請求項１４】
前記ポーチを形成する前記第２の弾性材料は、逆反射材料である、
請求項１乃至１３のうちいずれか一項記載の着用可能な装置。
【請求項１５】
前記第１の弾性材料は、逆反射材料を有する、
請求項１乃至１４のうちいずれか一項記載の着用可能な装置。
【請求項１６】
前記ポーチの材料は、前記ベルトセクションの前記長手方向軸に対して平行である方向においてよりも前記ベルトセクションの前記長手方向軸に対して横断する方向においてより弾性である非対称の拡張可能材料である、
請求項１乃至１５のうちいずれか一項記載の着用可能な装置。
【請求項１７】
前記ポーチは、１つ又はそれより多くの長手方向プリーツを備える材料を有し、該プリーツは、前記ベルトセクションの前記長手方向軸に対して実質的に平行であり、また前記ポーチの前記内部体積がベルト軸に対して横断する方向において拡張するようにする、
請求項１乃至１６のうちいずれか一項記載の着用可能な装置。
【請求項１８】
前記ポーチは、前記ベルトの構造の一部を形成し、前記ベルトからつり下がらない、
請求項１乃至１７のうちいずれか一項記載の着用可能な装置。
【請求項１９】
前記ベルトに対して取り付けられる１つ又はそれより多くのフックを更に有し、該１つ又はそれより多くのフックは、ランナーのレース番号を取り付けるよう適切である、
請求項１乃至１８のうちいずれか一項記載の着用可能な装置。
【請求項２０】
物品を格納する着用可能な装置を形成する方法であって、
長手方向軸を有する第１及び第２のセクションを有する、第１の弾性材料を有するベルトを与える段階、
を有し、
各ベルトセクションは、前記第１及び第２のセクションの遠位端部が解放可能に共につながり得るようファスナを有する遠位端部を備え、また、共に取り付けられない近位端部を備え、
上部エッジ、下部エッジ、及び側部エッジを備える全般的に矩形の形状である第２の弾性材料を有するシームレス片からポーチを形成する段階、
によって特徴付けられ、
該ポーチは、
（ｉ）内部体積を封入するよう、前記上部エッジ及び下部エッジを接合するよう前記第２の弾性材料片を折り畳むことと、
（ｉｉ）各ベルトセクションの前記端部の周囲に各側部エッジを集合させ、前記封入された内部体積が前記ポーチのいずれかの側部に対して密封されるよう、該集合されたセクションを前記ベルトセクションの前記近位端部に対して取り付けることと、
（ｉｉｉ）前記ポーチの前記内部体積を完全に封入するよう前記上部及び下部エッジを解放可能に共に取り付けるようファスナを与えることと、
によって形成される、
方法。
【手続補正２】
【補正対象書類名】明細書
【補正対象項目名】００１６
【補正方法】変更
【補正の内容】
【００１６】
本発明の望ましい実施例は、１つの物品（鍵等）を保持しようと、あるいは複数の物品（複数の鍵、携帯電話、ｍｐ３プレイヤ、及び／又は現金等）を保持しようと、最も激しい活動中でも着用者の身体の周囲にぴんと張って留まる、小型であり且つ拡張可能な単一ポーチウエストベルトを与える。ポーチは、空のとき、望ましくはポーチを適所に保持するベルトと略同一の幅及び厚さである。本願に記載される新規性のある構造及び設計により、ポーチの内部体積は、より大きな物品又は多数の小さな物品を保持するよう３００−４００％まで拡張し得る。
【手続補正３】
【補正対象書類名】明細書
【補正対象項目名】００４０
【補正方法】変更
【補正の内容】
【００４０】
図１及び２中の実施例において、雄バックル２２及び雌バックル２３は、ともに取り付けられるとき、着用者の身体の周囲においてベルト２０の右側部分及び左側部分をともに保持する。反射体を有するもの、センターリリース（中央解放）、輪郭又は非輪郭（ｃｏｎｔｏｕｒ  ｏｒ  ｎｏｎ−ｃｏｎｔｏｕｒ）、単一又は二重調整を有するもの、多種の色及び寸法等を含む多種のバックル又はファスナは、使用され得る。図示される実施例において、二重ループ調整を有する雄バックル２２は、望ましくはトリグライド（ｔｒｉ−ｇｌｉｄｅ）２４が取り付けられた後にベルト２０に対して取り付けられ、ステッチ２８で縫い付けられる。二重ループを有する雌バックル２３又は二重ループを有さない雌バックル２３は、望ましくはステッチ２６を有して雌バックル２３の近くに（近付いて）ステッチによって取り付けられる。
【手続補正４】
【補正対象書類名】明細書
【補正対象項目名】００４３
【補正方法】変更
【補正の内容】
【００４３】
図３は、比較的大きな物品（この場合はＭＰ３プレイヤ３０）をポーチ１０内部に有する本発明の望ましい一実施例を示す。図８−９も参照すると、ポーチ材料１１は、ベルト軸の周囲に半径方向に伸張／拡張しているが、長さ方向においては伸張されていない。結果として、ポーチ内部体積は、より大きな物体を保持するよう拡張されているが、着用者の身体の周囲におけるベルトの適合は、ぴったりとしたままである。
【手続補正５】
【補正対象書類名】明細書
【補正対象項目名】００５４
【補正方法】変更
【補正の内容】
【００５４】
本願の範囲は、明細書に記載される工程、機械、製造、組成物、手段、方法、及び段階の特定の実施例に制限されるよう意図されない。本発明の開示から当業者が容易に理解する通り、本願に記載される対応する実施例と実質的に同一の機能を実行するかあるいは実質的に同一の結果を達成する、既存であるかあるいは後に開発される工程、機械、製造、組成物、手段、方法、又は段階は、本発明に従って利用され得る。したがって、添付の請求項は、かかる工程、機械、製造、組成物、手段、方法、又は段階をその範囲内に有するよう意図される。
【国際調査報告】
2010517724.tif 000017
2010517724.tif 000018